(57)【要約】【課題】無線ＬＡＮ子機を無線ＬＡＮ親機と簡易に無線接続できる無線接続方法、無線ＬＡＮ親機及び無線ＬＡＮ子機を提供する。【解決手段】無線ＬＡＮ子機は、無線ＬＡＮ親機と無線ＬＡＮ子機の無線接続に用いる識別子及び暗号化キーを含む第１無線ＬＡＮ情報を保存しておき、表示部に第１無線ＬＡＮ情報を符号化した二次元コードを表示する。無線ＬＡＮ親機は、カメラで二次元コードが撮影されると、該カメラから送信される画像データから二次元コードを復号して第１無線ＬＡＮ情報を取得し、取得した第１無線ＬＡＮ情報を用いて無線ＬＡＮ親機と無線ＬＡＮ子機とが無線接続を行う。【選択図】図１
2014011786.tif 000002
【特許請求の範囲】
【請求項１】
無線ＬＡＮ親機と無線ＬＡＮ子機とを無線接続するための無線接続方法であって、
予め前記無線ＬＡＮ親機と前記無線ＬＡＮ子機の無線接続に用いる識別子及び暗号化キーを含む第１無線ＬＡＮ情報を前記無線ＬＡＮ子機で保存しておき、
前記無線ＬＡＮ子機と接続される表示部に前記第１無線ＬＡＮ情報を符号化した二次元コードを表示し、
前記無線ＬＡＮ親機と接続されるカメラで前記二次元コードが撮影されると、前記無線ＬＡＮ親機が、前記カメラから送信される画像データから該二次元コードを復号して前記第１無線ＬＡＮ情報を取得し、
前記無線ＬＡＮ親機と前記無線ＬＡＮ子機とが前記第１無線ＬＡＮ情報を用いて無線接続を行う無線接続方法。
【請求項２】
前記無線ＬＡＮ親機が、
予めユーザが入力した指示にしたがって、前記第１無線ＬＡＮ情報を継続して使用するか否かを判定し、
前記第１無線ＬＡＮ情報を継続して使用しない場合は、前記無線ＬＡＮ親機が保存している前記無線ＬＡＮ親機と前記無線ＬＡＮ子機の無線接続に用いる識別子及び暗号化キーを含む、前記第１無線ＬＡＮ情報とは異なる第２無線ＬＡＮ情報を前記無線ＬＡＮ子機に通知し、以降、前記無線ＬＡＮ親機と前記無線ＬＡＮ子機とが前記第２無線ＬＡＮ情報を用いて無線接続を確立し、
前記第１無線ＬＡＮ情報を継続して使用する場合は、前記第２無線ＬＡＮ情報を前記第１無線ＬＡＮ情報で書き換え、以降、前記無線ＬＡＮ親機と前記無線ＬＡＮ子機とが前記第１無線ＬＡＮ情報を用いて無線接続を確立する請求項１記載の無線接続方法。
【請求項３】
表示部に表示された、無線ＬＡＮ子機との無線接続に用いる識別子及び暗号化キーを含む、前記無線ＬＡＮ子機に予め設定された第１無線ＬＡＮ情報を符号化した二次元コードを撮影するためのカメラが接続される接続手段と、
前記カメラで前記二次元コードが撮影されると、前記カメラから送信される画像データから該二次元コードを復号して前記第１無線ＬＡＮ情報を取得し、該第１無線ＬＡＮ情報を用いて前記無線ＬＡＮ子機と無線接続を行う制御部と、
を有する無線ＬＡＮ親機。
【請求項４】
ユーザが指示を入力するための入力部と、
情報を保存するための不揮発性メモリと、
をさらに有し、
前記制御部は、
予めユーザが入力した指示にしたがって、前記第１無線ＬＡＮ情報を継続して使用するか否かを判定し、
前記第１無線ＬＡＮ情報を継続して使用しない場合は、前記不揮発性メモリで保存している前記無線ＬＡＮ子機との無線接続に用いる識別子及び暗号化キーを含む、前記第１無線ＬＡＮ情報とは異なる第２無線ＬＡＮ情報を前記無線ＬＡＮ子機に通知し、以降、前記第２無線ＬＡＮ情報を用いて前記無線ＬＡＮ子機との無線接続を確立し、
前記第１無線ＬＡＮ情報を継続して使用する場合は、前記不揮発性メモリで保存している前記第２無線ＬＡＮ情報を前記第１無線ＬＡＮ情報で書き換え、以降、前記第１無線ＬＡＮ情報を用いて前記無線ＬＡＮ子機との無線接続を確立する請求項３記載の無線ＬＡＮ親機。
【請求項５】
前記カメラを備える請求項３または４記載の無線ＬＡＮ親機。
【請求項６】
無線ＬＡＮ親機との無線接続に用いる識別子及び暗号化キーを含む第１無線ＬＡＮ情報を保存する不揮発性メモリと、
前記第１無線ＬＡＮ情報を符号化した二次元コードを表示するための表示部が接続される接続手段と、
前記第１無線ＬＡＮ情報を用いて前記無線ＬＡＮ親機と無線接続を行う制御部と、
を有する無線ＬＡＮ子機。
【請求項７】
前記制御部は、
前記無線ＬＡＮ親機との無線接続に用いる識別子及び暗号化キーを含む、前記第１無線ＬＡＮ情報とは異なる第２無線ＬＡＮ情報が前記無線ＬＡＮ親機から通知されると、前記不揮発性メモリで前記第２無線ＬＡＮ情報を保存し、以降、該第２無線ＬＡＮ情報を用いて前記無線ＬＡＮ親機との無線接続を確立する請求項６記載の無線ＬＡＮ子機。
【請求項８】
前記表示部を備える請求項６または７記載の無線ＬＡＮ子機。
【発明の詳細な説明】
【技術分野】
【０００１】
本発明は無線ＬＡＮ親機と無線ＬＡＮ子機とを無線接続するための無線接続方法、無線ＬＡＮ親機及び無線ＬＡＮ子機に関する。
【背景技術】
【０００２】
無線ＬＡＮを宅内等に導入する場合、アクセスポイントとなる無線ＬＡＮ親機（以下、単に親機と称す）を準備し、該親機に無線ＬＡＮ子機（以下、単に子機と称す）を接続することでネットワークを形成する。親機と子機の無線接続は、通常、親機に対して予め設定された識別子であるＳＳＩＤ（Service Set Identifier）と無線通信の秘匿化に用いる暗号化キーとをそれぞれ子機に登録することで可能になる。そのため、子機を親機と無線接続するには、該親機のＳＳＩＤや暗号化キーを探し出して子機に入力しなければならず、煩わしい作業が必要になる。
【０００３】
そこで、工場出荷時等で親機に設定されるＳＳＩＤや暗号化キーを符号化したＱＲコード（登録商標）等の二次元コードを作成し、該二次元コードを用いて親機のＳＳＩＤや暗号化キーを子機に入力する方法が、例えば特許文献１や２で提案されている。
【０００４】
特許文献１には、二次元コードが記載されたシートを親機の筐体に装着し、子機が備えるカメラにより該二次元コードを撮影して復号することで、該子機で親機のＳＳＩＤや暗号化キーを取得することが記載されている。
【０００５】
また、特許文献２には、親機を管理するサーバ装置からパーソナルコンピュータ等に二次元コードのデータを送信し、該パーソナルコンピュータの表示部に表示させた二次元コードを、子機が備えるカメラにより撮影して復号することで、該子機で親機のＳＳＩＤや暗号化キーを取得することが記載されている。
【先行技術文献】
【特許文献】
【０００６】
【特許文献１】特開２００６−１５７８１４号公報
【特許文献２】特開２００９−２４６８２８号公報
【発明の概要】
【発明が解決しようとする課題】
【０００７】
上述した特許文献１や２に記載された技術は、子機にカメラを備えていることを前提としている。そのため、カメラを持たない子機を親機と無線接続する場合は、これまでと同様に親機のＳＳＩＤや暗号化キーを子機に入力しなければならず、煩わしい作業が発生してしまう。したがって、子機にカメラを備えていない構成でも、該子機を親機と簡易に無線接続できることが望ましい。
【０００８】
本発明は上述したような背景技術が有する問題点を解決するためになされたものであり、無線ＬＡＮ子機を無線ＬＡＮ親機と簡易に無線接続できる無線接続方法、無線ＬＡＮ親機及び無線ＬＡＮ子機を提供することを目的とする。
【課題を解決するための手段】
【０００９】
上記目的を達成するため本発明の無線接続方法は、無線ＬＡＮ親機と無線ＬＡＮ子機とを無線接続するための無線接続方法であって、
予め前記無線ＬＡＮ親機と前記無線ＬＡＮ子機の無線接続に用いる識別子及び暗号化キーを含む第１無線ＬＡＮ情報を前記無線ＬＡＮ子機で保存しておき、
前記無線ＬＡＮ子機と接続される表示部に前記第１無線ＬＡＮ情報を符号化した二次元コードを表示し、
前記無線ＬＡＮ親機と接続されるカメラで前記二次元コードが撮影されると、前記無線ＬＡＮ親機が、前記カメラから送信される画像データから該二次元コードを復号して前記第１無線ＬＡＮ情報を取得し、
前記無線ＬＡＮ親機と前記無線ＬＡＮ子機とが前記第１無線ＬＡＮ情報を用いて無線接続を行う方法である。
【００１０】
また、本発明の無線ＬＡＮ親機は、表示部に表示された、無線ＬＡＮ子機との無線接続に用いる識別子及び暗号化キーを含む、前記無線ＬＡＮ子機に予め設定された第１無線ＬＡＮ情報を符号化した二次元コードを撮影するためのカメラが接続される接続手段と、
前記カメラで前記二次元コードが撮影されると、前記カメラから送信される画像データから該二次元コードを復号して前記第１無線ＬＡＮ情報を取得し、該第１無線ＬＡＮ情報を用いて前記無線ＬＡＮ子機と無線接続を行う制御部と、
を有する。
【００１１】
また、本発明の無線ＬＡＮ子機は、無線ＬＡＮ親機との無線接続に用いる識別子及び暗号化キーを含む第１無線ＬＡＮ情報を保存する不揮発性メモリと、
前記第１無線ＬＡＮ情報を符号化した二次元コードを表示するための表示部が接続される接続手段と、
前記第１無線ＬＡＮ情報を用いて前記無線ＬＡＮ親機と無線接続を行う制御部と、
を有する。
【発明の効果】
【００１２】
本発明によれば、無線ＬＡＮ子機を無線ＬＡＮ親機と簡易に無線接続できる。
【図面の簡単な説明】
【００１３】
【図１】第１の実施の形態の無線ＬＡＮ子機の一構成例を示すブロック図である。
【図２】第１の実施の形態の無線ＬＡＮ親機の一構成例を示すブロック図である。
【図３】図１に示した子機及び図２に示した親機の動作例を示す模式図である。
【図４】第１の実施の形態の親機の動作を示すフローチャートである。
【図５】第２の実施の形態の無線ＬＡＮ親機の一構成例を示すブロック図である。
【図６】第３の実施の形態の無線ＬＡＮ子機の一構成例を示すブロック図である。
【発明を実施するための形態】
【００１４】
次に本発明について図面を用いて説明する。
（第１の実施の形態）
図１は第１の実施の形態の無線ＬＡＮ子機の一構成例を示すブロック図であり、図２は第１の実施の形態の無線ＬＡＮ親機の一構成例を示すブロック図である。
【００１５】
図1に示すように、第１の実施の形態の子機１は、制御部１１、不揮発メモリ１２、作業メモリ１３、表示部１４及び無線回路１５を備える。
【００１６】
制御部１１は、プログラムにしたがってＣＰＵ（Central Processing Unit）により処理を実行することで子機１の動作を制御する。制御部１１は、ＣＰＵ、メモリ、各種の論理回路等を備えた、例えばマイクロコンピュータ等の情報処理用ＩＣ（Integrated Circuit）で実現される。
【００１７】
表示部１４は、制御部１１から供給される画像信号にしたがって、文字、記号、画像等を表示する、液晶パネルや有機ＥＬパネル等のディスプレイである。
【００１８】
作業用メモリ１３は、所定のプログラムにしたがって制御部１１が処理を実行する際に必要なデータを一時的に保持する。作業用メモリ１３には、例えばＲＡＭ（Random Access Memory）が用いられる。
【００１９】
無線回路１５は、例えばＩＥＥＥ８０２．１１ｂ／ｇ／ａ／ｎ等の無線ＬＡＮ規格に準拠した、他の無線ＬＡＮ装置と情報を送受信するための周知の回路やアンテナを含む無線ＬＡＮインタフェースである。
【００２０】
不揮発メモリ１２は、制御部１１の処理で用いる各種のデータ、制御部１１が処理を実行するためのプログラム、子機１に予め設定された無線接続に用いるＳＳＩＤや暗号化キー（以下、第１無線ＬＡＮ情報と称す）等を保存する。不揮発メモリ１２は、第１無線ＬＡＮ情報を符号化した二次元コードの画像データを保存していてもよい。不揮発メモリ１２には、例えばフラッシュメモリ等の半導体メモリやハードディスク装置等が用いられる。制御部１１は、ユーザの操作指示にしたがって、不揮発メモリ１２に格納された第１無線ＬＡＮ情報を符号化した二次元コードを表示部１４に表示させる。不揮発メモリ１２で第１無線ＬＡＮ情報のみ保存している場合、制御部１１は該第１無線ＬＡＮ情報を符号化して二次元コードを生成する。
【００２１】
図２に示すように、第１の実施の形態の親機２は、制御部２１、ＷＡＮポート２２、ＬＡＮポート２３、不揮発メモリ２４、作業メモリ２５、カメラ２６、無線回路２７及び入力部２８を備える。
【００２２】
制御部２１は、プログラムにしたがってＣＰＵにより処理を実行することで親機２の動作を制御する。制御部２１は、ＣＰＵ、メモリ、各種の論理回路等を備えた、例えばマイクロコンピュータ等の情報処理用ＩＣ等で実現される。
【００２３】
作業用メモリ２５は、所定のプログラムにしたがって制御部２１が処理を実行する際に必要なデータを一時的に保持するメモリである。作業用メモリ２５には、例えばＲＡＭ（Random Access Memory）が用いられる。
【００２４】
無線回路２７は、例えばＩＥＥＥ８０２．１１ｂ／ｇ／ａ／ｎ等の無線ＬＡＮ規格に準拠した、他の無線ＬＡＮ装置と情報を送受信するための周知の回路やアンテナを含む無線ＬＡＮインタフェースである。
【００２５】
ＷＡＮポート２２は、外部のネットワーク（インターネット等）と接続するためのポートである。ＷＡＮポート２２には、例えばネットワーク機器、あるいはＡＤＳＬモデムやＣＡＴＶモデム等が有線で接続される。
【００２６】
ＬＡＮポート２３は、内部のネットワーク（ＬＡＮ）と接続するためのポートである。ＬＡＮポート２３には、例えばパーソナルコンピュータ等が有線で接続される。
【００２７】
不揮発メモリ２４は、制御部２１の処理で用いる各種のデータ、制御部２１が処理を実行するためのプログラム、子機１との無線接続に用いる上記第１無線ＬＡＮ情報と異なるＳＳＩＤや暗号化キー（以下、第２無線ＬＡＮ情報と称す）、親機２に予め設定されたＳＳＩＤや暗号化キー（以下、第３無線ＬＡＮ情報と称す）等を保存する。第２無線ＬＡＮ情報は、例えば既に無線接続している子機１から取得したＳＳＩＤや暗号化キーである。不揮発メモリ２４は、第２無線ＬＡＮ情報や第３無線ＬＡＮ情報を符号化した二次元コードの画像データを保存していてもよい。不揮発メモリ２４には、例えばフラッシュメモリ等の半導体メモリやハードディスク等が用いられる。
【００２８】
カメラ２６は、ユーザの操作にしたがって静止画像や動画像を撮影し、撮影した画像データを制御部２１に送信する。
【００２９】
入力部２８は、ユーザの指示を親機２へ入力するための入力装置である。
【００３０】
図３は、図１に示した子機及び図２に示した親機の動作例を示す模式図である。
【００３１】
図３に示すように、第１の実施の形態では、親機２と子機１の無線接続用のＳＳＩＤや暗号化キーとして、子機１に予め設定されたＳＳＩＤや暗号化キー（第１無線ＬＡＮ情報）を用いる。ユーザは、該子機１の第１無線ＬＡＮ情報を符号化した二次元コードを表示部１４に表示させ、親機２のカメラ２６を用いて子機１の表示部１４に表示された二次元コードを撮影する。親機２は、カメラ２６で撮影された画像データから該二次元コードを復号することで子機１の第１無線ＬＡＮ情報を取得し、作業メモリ２５で保持する。親機２は、取得した子機１の第１無線ＬＡＮ情報を用いて該子機１と「仮の無線接続」を行う。
【００３２】
本実施形態の親機２は、異なるＳＳＩＤや暗号化キーが設定された複数の子機１が接続される場合を考慮して、子機１から取得したＳＳＩＤや暗号化キー（第１無線ＬＡＮ情報）を、継続して使用するか否かをユーザが選択可能な構成である。入力部２８は、子機１から取得した第１無線ＬＡＮ情報の継続使用可否をユーザが入力するために用いられる。入力部２８には、例えばスイッチ等を用いればよい。上記「仮の無線接続」とは、親機２が子機１の第１無線ＬＡＮ情報を用いて該子機１と一時的に無線接続している状態を指す。
【００３３】
親機２は、ユーザによって子機１から取得した第１無線ＬＡＮ情報を継続して使用しないよう指示されている場合、不揮発メモリ２４で保存している、例えば第２無線ＬＡＮ情報を新たに無線接続する子機１へ無線回路２７を介して通知する。その場合、親機２は、上記「仮の無線接続」の状態で、子機１に対して第２無線ＬＡＮ情報を通知すればよい。なお、子機１には、親機２に設定されたＳＳＩＤや暗号化キー（第３無線ＬＡＮ情報）を通知してもよい。子機１は、親機２から第２無線ＬＡＮ情報が通知されると、該第２無線ＬＡＮ情報を不揮発性メモリ１２で保存し、以降、親機２との無線接続に第２無線ＬＡＮ情報を用いる。
【００３４】
また、親機２は、ユーザによって子機１から取得した第１無線ＬＡＮ情報を継続して使用するよう指示されている場合、例えば不揮発性メモリ２４で保存している第２無線ＬＡＮ情報を、新たに取得した第１無線ＬＡＮ情報で書き換え、以降、該子機１との無線接続に該子機１から取得したＳＳＩＤや暗号化キーを用いる。
【００３５】
図４は、第１の実施の形態の親機の動作を示すフローチャートである。
【００３６】
上述したように、ユーザは、子機１を操作することで、該子機１に予め設定された第１無線ＬＡＮ情報を符号化した二次元コードを表示部１４に表示させる。また、ユーザは、親機２のカメラ２６を用いて子機１の表示部１４に表示された二次元コードを撮影する。
【００３７】
図４に示すように、親機２の制御部２１は、二次元コードが撮影されると、カメラ２６から撮影した画像データを送信させ、該画像データから二次元コードを復号し、復号した得られた子機１の第１無線ＬＡＮ情報を作業メモリ２５で保持する（ステップＳ１）。
【００３８】
続いて、制御部２１は、ステップＳ１で取得した第１無線ＬＡＮ情報を用いて子機１と仮の無線接続を行う（ステップＳ２）。ユーザは、該子機１から取得した第１無線ＬＡＮ情報を継続して使用するか否かを決定し、その結果を、入力部２８を用いて親機２に入力する。子機１から取得した第１無線ＬＡＮ情報を継続して使用するか否かは、二次元コードを撮影する前に予め入力しておいてもよい。
【００３９】
制御部２１は、ユーザが入力した指示内容を確認し、子機１から取得した第１無線ＬＡＮ情報を継続して使用するか否かを判定する（ステップＳ３）。子機１から取得した第１無線ＬＡＮ情報を継続して使用する場合、制御部２１は、不揮発性メモリ２４で保存している、例えば第２無線ＬＡＮ情報を第１無線ＬＡＮ情報で書き換え（ステップＳ４）、以降、子機１から取得したＳＳＩＤや暗号化キーを用いて該子機１との無線接続を確立する（ステップＳ６）。
【００４０】
子機１から取得した第１無線ＬＡＮ情報を継続して使用しない場合、制御部２１は、不揮発性メモリ２４に格納された、例えば第２無線ＬＡＮ情報を子機１に通知する（ステップＳ５）。制御部２１は、親機２に設定された第３無線ＬＡＮ情報を子機１へ送信してもよい。
【００４１】
子機１が、親機２から受信した第２無線ＬＡＮ情報を不揮発性メモリ１２で保存すると、以降、制御部２１は、子機１へ通知した第２無線ＬＡＮ情報を用いて該子機１との無線接続を確立する（ステップＳ６）。
【００４２】
本実施形態によれば、子機１にカメラを備えていなくても、無線接続に用いるＳＳＩＤや暗号化キーを親機２及び子機１が互いに取得できるため、親機２と子機１とを簡易に無線接続することが可能になる。
（第２の実施の形態）
図５は、第２の実施の形態の無線ＬＡＮ親機の一構成例を示すブロック図である。
【００４３】
図５に示すように、第２の実施の形態の親機３は、制御部２１、ＷＡＮポート２２、ＬＡＮポート２３、不揮発メモリ２４、作業メモリ２５、ＵＳＢ＿Ｉ／Ｆ（ＵＳＢ（Universal Serial Bus）インタフェース）３６、無線回路２７及び入力部２８を備える。
【００４４】
第２の実施の形態の親機３は、カメラ２６（図２参照）に代えて、ＵＳＢ＿Ｉ／Ｆ３６を備えた構成である。ＵＳＢ＿Ｉ／Ｆ３６（接続手段）には、ＵＳＢインタフェースを備えたカメラ、あるいはＵＳＢインタフェース及びカメラを備えた端末装置（例えば、デジタルカメラ、携帯電話機、パーソナルコンピュータ、ゲーム機等）が接続される。なお、カメラあるいはカメラを備えた端末装置（以下、カメラ端末と総称する）と親機３とは、ＵＳＢ＿Ｉ／Ｆ３６以外の手段を用いて接続してもよい。例えば、カメラ端末が無線回路（例えば無線ＬＡＮインタフェース）を備えている場合、親機３とカメラ端末とは該無線回路を用いて無線接続してもよい。
【００４５】
第２の実施の形態は、親機３に接続されたカメラ端末を用いて子機１に表示された二次元コードの撮影が可能な構成である。親機３はカメラ端末で撮影された二次元コードの画像データを受信すると、該画像データから二次元コードを復号し、子機１の第１無線ＬＡＮ情報を取得する。その他の構成は第１の実施の形態で示した親機２と同様であるため、その説明は省略する。子機１の構成は、第１の実施の形態と同様であるため、その説明は省略する。
【００４６】
なお、親機３に接続するカメラ端末が入力部（テンキー、キーボード、タッチパネル等）を備えている場合、図５に示した入力部２８の機能は該カメラ端末が備える入力部で実現してもよい。
【００４７】
また、親機３に接続するカメラ端末が、撮影した二次元コードの画像データを保存できる場合、ユーザは、該カメラ端末を、子機１に表示された二次元コードを撮影した後で、親機３と接続してもよい。
【００４８】
その場合、ユーザは、予め親機３に接続するカメラ端末が撮影した画像データを保存できるか否かを確認しておき、画像データを保存できない場合は、カメラ端末を親機３に接続し、図４に示した処理にしたがって親機３と子機１との無線接続を確立させればよい。
【００４９】
親機３に接続するカメラ端末が画像データを保存できる場合、ユーザは、子機１に該子機１の第１無線ＬＡＮ情報を符号化した二次元コードを表示させ、該カメラ端末を用いて子機１に表示させた二次元コードを撮影した後、該カメラ端末を親機３に接続し、撮影した画像データを該カメラ端末から親機３に送信させればよい。この場合も、以降、図４に示した処理にしたがって親機３と子機１との無線接続を確立させればよい。
【００５０】
本実施形態によれば、親機３及び子機１共にカメラを持たない構成でも、無線接続に用いるＳＳＩＤや暗号化キーを親機３及び子機１が互いに取得できるため、親機３と子機１とを簡易に無線接続することが可能になる。
（第３の実施の形態）
図６は、第３の実施の形態の無線ＬＡＮ子機の一構成例を示すブロック図である。
【００５１】
図６に示すように、第３の実施の形態の子機４は、制御部１１、不揮発メモリ１２、作業メモリ１３、ＵＳＢ＿Ｉ／Ｆ４４及び無線回路１５を備える。
【００５２】
第３の実施の形態の子機４は、表示部１４（図１参照）に代えて、ＵＳＢ＿Ｉ／Ｆ４４を備えた構成である。ＵＳＢ＿Ｉ／Ｆ４４（接続手段）には、ＵＳＢインタフェースを備えた表示部、あるいはＵＳＢインタフェース及び表示部を備えた端末装置（例えば、携帯電話機、パーソナルコンピュータ、ゲーム機等）が接続される。なお、表示部あるいは表示部を備えた端末装置（以下、表示端末と総称する）と子機４とは、ＵＳＢ＿Ｉ／Ｆ４４以外の手段を用いて接続してもよい。例えば、表示端末が無線回路（例えば無線ＬＡＮインタフェース）を備えている場合、子機４と表示端末とは該無線回路を用いて無線接続してもよい。
【００５３】
第３の実施の形態は、子機４に接続された表示端末を用いて、子機４に設定された第１無線ＬＡＮ情報を符号化した二次元コードを表示可能な構成である。その他の子機４の構成は第１の実施の形態で示した子機１と同様であるため、その説明は省略する。親機の構成は、第１の実施の形態または第２の実施の形態と同様であるため、その説明は省略する。
【００５４】
なお、子機４に接続する表示端末に入力部（テンキー、キーボード、タッチパネル等）を備えている場合、子機４は、ユーザによって該入力部を用いて任意のＳＳＩＤや暗号化キーを設定できる構成にしてもよい。
【００５５】
子機４に任意のＳＳＩＤや暗号化キーを設定する場合、ユーザは、該子機４に表示端末を接続し、該表示端末の入力部を用いて任意のＳＳＩＤや暗号化キー（以下、第４無線ＬＡＮ情報と称す）を入力して子機４に送信すればよい。この場合、子機４は、表示端末から受信した第４無線ＬＡＮ情報を不揮発性メモリ１２で保存し、該第４無線ＬＡＮ情報を符号化して二次元コードを作成する。二次元コードは、子機４に接続する表示端末で作成してもよい。ユーザは、子機４で作成された二次元コード、または表示端末で作成された二次元コードを表示端末に表示させればよい。
【００５６】
子機４に任意のＳＳＩＤや暗号化キーを設定しない場合、ユーザは、該子機４に表示端末を接続し、該子機４に予め設定された第１無線ＬＡＮ情報を符号化した二次元コードを該子機４から表示端末に送信させて、該表示端末に表示させればよい。二次元コードは表示端末で作成してもよい。その場合、子機４は予め自装置に設定された第１無線ＬＡＮ情報のみ表示端末に送信すればよい。
【００５７】
表示端末で二次元コードが表示されると、以降、図４に示した処理にしたがって親機３と子機１との無線接続を確立させればよい。
【００５８】
本実施形態によれば、子機４に表示部を持たない構成でも、無線接続に用いるＳＳＩＤや暗号化キーを親機及び子機４が互いに取得できるため、親機と子機４とを簡易に無線接続することが可能になる。
【符号の説明】
【００５９】
１、４    子機
２、３    親機
１１、２１    制御部
１２、２４    不揮発メモリ
１３、２５    作業メモリ
１４    表示部
１５、２７    無線回路
２    親機
２２    ＷＡＮポート
２３    ＬＡＮポート
２６    カメラ
２８    入力部
３６、４４    ＵＳＢ＿Ｉ／Ｆ
【図１】
2014011786.tif 000003
【図２】
2014011786.tif 000004
【図３】
2014011786.tif 000005
【図４】
2014011786.tif 000006
【図５】
2014011786.tif 000007
【図６】
2014011786.tif 000008